(57)【要約】【課題】無駄なスペースを無くしつつ収納庫を側方に配置、除去することができるフェンスを提供する。【解決手段】裏パネル５の前方に配置される扉パネルと、扉パネルの両側端に回動可能に連結された第１側壁パネル８と第２側壁パネル９と、第１側壁パネル８と第２側壁パネル９のうち扉パネルとの連結側と反対のそれぞれの側部に回動可能に軸支された第１縦軸バー１６及び第２縦軸バー１７と、第１縦軸バー１６及び第２縦軸バー１７の下部の移動を導くレール１４と、第１縦軸バー１６及び第２縦軸バー１７の上部の移動を導く梁３と、扉パネルが裏パネル５に最も近づいた位置で扉パネルの上方に配置される横軸バーと、横軸バーに回動可能に支持されて扉パネルに上から重なる屋根用パネル２１と、を有する。【選択図】図５
0003217735.tif 000002
【実用新案登録請求の範囲】
【請求項１】
裏パネルと、
前記裏パネルの前方に配置される扉パネルと、
前記扉パネルの両側端にそれぞれ回動可能に連結された第１側壁パネルと第２側壁パネルと、
前記第１側壁パネルと前記第２側壁パネルのうち前記扉パネルとの連結側と反対側のそれぞれの側部を回動可能に軸支する第１縦軸バー及び第２縦軸バーと、
前記第１縦軸バー及び前記第２縦軸バーの下部の移動を前記裏パネルの前面に沿って導くレールと、
前記第１縦軸バー及び前記第２縦軸バーの上部の移動を前記裏パネルの前記前面へ導く梁と、
前記扉パネルが前記裏パネルに最も近づいた位置で前記扉パネルの上方に配置される横軸バーと、
前記横軸バーに回動可能に支持されて前記扉パネルに上から重なる屋根用パネルと、を有するフェンス。
【請求項２】
前記扉パネルの側部と前記第１側壁パネルの側部を回動可能に連結させ、前記扉パネルと前記第２側壁パネルの側部を回動可能に連結させる枠体を有することを特徴とする請求項１に記載のフェンス。
【請求項３】
前記屋根用パネルの下面には、前記枠体から上に突出した突起を嵌め込む溝が形成されていることを特徴とする請求項２に記載のフェンス。
【請求項４】
前記第１側壁パネルと前記第２側壁パネルのうち前記扉パネルとの前記連結側と反対の両側部に付勢力を加えるバネを有することを特徴とする請求項１乃至請求項３のいずれか１項に記載のフェンス。
【請求項５】
前記第１側壁パネルと前記第２側壁パネルのうち前記扉パネルとの前記連結側と反対の両側部のそれぞれを前記レールに沿って移動させるレール・アンド・ピニオン構造を有する請求項１乃至請求項３のいずれか１項に記載のフェンス。
【請求項６】
前記第１側壁パネルと第２側壁パネルは、横方向に回動可能に連結して複数に分割されることを特徴とする請求項１乃至請求項５のいずれか１項に記載のフェンス。
【請求項７】
前記屋根用パネルを前方に付勢するバネを有することを特徴とする請求項１乃至請求項６のいずれか１項に記載のフェンス。
【請求項８】
前記第１側壁パネルと前記第２側壁パネルのそれぞれの上端は、前記扉パネルに向けて低くなる角度に傾斜していることを特徴とする請求項１乃至請求項７のいずれか１項に記載のフェンス。
【請求項９】
前記扉パネルは、両開きパネルを有していることを特徴とする請求項１乃至請求項８のいずれか１項に記載のフェンス。
【請求項１０】
前記第１側壁パネルと前記第２側壁パネルのうち前記扉パネルとの前記連結側と反対側のそれぞれには、前記レールを摺動可能な第１支持パネルと第２右支持パネルが回動可能に連結されていることを特徴とする請求項１乃至請求項９のいずれか１項に記載のフェンス。
【考案の詳細な説明】
【技術分野】
【０００１】
本考案は、フェンスに関する。
【背景技術】
【０００２】
フェンスは、住宅地、植え込み、ベランダ等のような空間を仕切る位置に主に取り付けられる。そのようなフェンスは、下記の特許文献１、２に記載のように、空間的に高さ方向に立てられるので、花瓶、郵便ポスト等を掛ける支持体としても利用される。
【０００３】
また、建築物の勝手口の開口の外側正面に配置され、地表面から立設された支柱によって支持された収納棚と、その支柱の上縁に片持ち状に屋根を設けて構成されるフェンスが特許文献３に記載されている。さらに、フェンスの一部に折りたたみ式の椅子が備え付けられた構造が特許文献４に記載されている。
【０００４】
ガーデン用フェンスと多目的フレームユニットを横に並べた構造が特許文献５に記載されている。多目的フレームユニットとして、複数の連結枠体を前後に連結して箱を形成し、その内部空間をごみ箱収納部として使用する構造が特許文献５に記載されている。
【先行技術文献】
【特許文献】
【０００５】
【特許文献１】特開２００５−２７６１１号公報
【特許文献２】特開２００４−３０８４１３号公報
【特許文献３】特開２００１−１４０３３７号公報
【特許文献４】特開２００４−３０５６７２号公報
【特許文献５】特開２０００−３００３５９号公報
【考案の概要】
【考案が解決しようとする課題】
【０００６】
ところで、自動車のタイヤを季節に合わせてスタッドレスタイプから普通タイプに、或いはその逆のタイプに交換する際に、使用しない方のタイヤを次の季節まで保管しようとすることがある。その際、使用しないタイヤの劣化を防止するために外部から遮蔽された収納庫に保管することが好ましい。その空間として上記のように、複数の連結枠体を前後に連結した構造物を収納庫として使用することも可能である。
【０００７】
これに対し、劣化が激しいタイヤは保管しておく価値が無いので、廃棄されることになるが、その場合、収納庫は不要な状態になる。このため、収納庫を一時的に取り払い、フェンスの周囲の空間を広くしたいことがある。また、収納庫にタイヤ以外の物を収納する場合でも、収納が必要になったり不要になったりすることがある。
【０００８】
不要になった収納庫をフェンスの側から取り去ろうとしても、収納庫を置く別の空間を確保する必要がある。収納庫として、上記のような複数の連結枠体を前後に連結した構造物を使用する場合でも、これを取り去る際には解体された連結枠体を収容する別な空間を確保する必要があることには変わりはない。
【０００９】
本考案の目的は、無駄な空間を無くしつつ収納庫を隣接して配置したりなくしたりすることができるフェンスを提供することにある。
【課題を解決するための手段】
【００１０】
本実施形態の１つの観点によれば、裏パネルと、前記裏パネルの前方に配置される扉パネルと、前記扉パネルの両側端に回動可能に連結された第１側壁パネルと第２側壁パネルと、前記第１側壁パネルと前記第２側壁パネルのうち前記扉パネルとの連結側に対して反対側のそれぞれの側部に回動可能に軸支された第１縦軸バー及び第２縦軸バーと、前記第１縦軸バー及び前記第２縦軸バーの下部の移動を前記裏パネルの前面に沿って導く軌道制御部と、前記扉パネルが前記裏パネルに最も近づいた位置で前記扉パネルの上方に配置される横軸バーと、前記横軸バーに回動可能に支持されて前記扉パネルに上から重なる屋根用パネルと、を有するフェンスが提供される。
また、フェンスは、前記扉パネルの側部と前記第１側壁パネルの側部を回動可能に連結させ、前記扉パネルと前記第２側壁パネルの側部を回動可能に連結させる枠体を有することを特徴とする。また、フェンスは、前記屋根用パネルの下面には、前記枠体から上に突出した突起を嵌め込む溝が形成されていることを特徴とする。また、フェンスは、前記第１側壁パネルと前記第２側壁パネルのうち前記扉パネルとの前記連結側と反対の両側部に付勢力を加えるバネを有することを特徴とする。また、フェンスは、前記第１側壁パネルと前記第２側壁パネルのうち前記扉パネルとの前記連結側と反対の両側部のそれぞれを前記レールに沿って逆向きに移動させるレール・アンド・ピニオン構造を有する。さらに、フェンスは、前記第１側壁パネルと第２側壁パネルは、横方向に回動可能に連結して複数に分割されることを特徴とする。
考案の目的および利点は、請求の範囲に具体的に記載された構成要素および組み合わせによって実現され達成される。前述の一般的な説明および以下の詳細な説明は、典型例および説明のためのものであって、本考案を限定するためのものではない、と理解されるものである。
【考案の効果】
【００１１】
本実施形態によれば、無駄な空間を無くしつつ収納庫を隣接して配置したりなくしたりすることができる。
【図面の簡単な説明】
【００１２】
【図１】図１（ａ）は、実施形態に係るフェンスの一部を示す分解斜視図、図１（ｂ）は、実施形態に係るフェンスに嵌め込まれる扉を示す斜視図である。
【図２】図２（ａ）は、第１実施形態に係るフェンスの基本状態を示す斜視図、図２（ｂ）、（ｃ）は、第１実施形態に係るフェンスの上側梁のうち図２（ａ）のＩ−Ｉ線とII−II線から見た断面図である。
【図３】図３は、第１実施形態に係るフェンスの一部を収納庫に変形させた状態を示す断面図である。
【図４】図４（ａ）〜（ｃ）は、実施形態に係るフェンスに装着される扉の錠とその操作を示す斜視図である。
【図５】図５（ａ）は、第２実施形態に係るフェンスの斜視図、図５（ｂ）は、図５（ａ）に示したフェンスの一部を収納庫に変形させた状態を示す斜視図である。
【図６】図６（ａ）は、第３実施形態に係るフェンスの斜視図、図６（ｂ）は、図６（ａ）に示したフェンスの一部を収納庫に変形させた状態を示す斜視図である。
【図７】図７（ａ）は、第４実施形態に係るフェンスの斜視図、図７（ｂ）は、図７（ａ）に示したフェンスの一部を収納庫に変形させた状態を示す斜視図である。
【考案を実施するための形態】
【００１３】
以下に、図面を参照して実施形態を説明する。図面において、同様の構成要素には同じ参照番号が付されている。
【００１４】
（第１実施形態）
図１（ａ）、（ｂ）は、第１実施形態に係るフェンスの一部を示す分解斜視図、図２（ａ）は、第１実施形態に係るフェンスを示す斜視図、図２（ｂ）、（ｃ）は、図２（ａ）のＩ−Ｉ線とII−II線から見たフェンスの部分断面図である。図３は、第１実施形態に係るフェンスの一部を収納部に変形させた状態を示す斜視図である。
【００１５】
フェンス１は、例えば一列に間隔をおいて配置される複数の支柱２と、複数の支柱２の上部に渡される上側梁３と、複数の支柱２の下部に渡される下側梁４とからなる枠体構造を有している。支柱２と上側梁３の取り付け、及び支柱２と下側梁４の取り付けはネジ止め、溶接、嵌め込み等によって行われる。複数の支柱２の各々の下端部２ａは、図２（ａ）に例示するように、床面Ａに埋め込まれる。なお、床面Ａは、地面、コンクリート床面、支持ブロック上面等の面を含む概念である。
【００１６】
複数の支柱２間には、空間を仕切る後パネル５が張られ、その前方にはさらに前パネル６が重ねられて張られている。後パネル５と前パネル６は、隙間をおいて配置されてもよいし、接触して配置されてもよい。後パネル５と前パネル６は、例えばパンチングメタル、網、格子であって板状に形成され、空間を仕切っている。なお、本実施形態において、後パネル５において前パネル６に対向する側の面を前面とし、その反対側を後面とし、同様に、前パネル６のうち後パネル５に対向する側の面を後面、その反対側を前面とする。また、後述する左と右の方向は、前パネル６の前面に向かった位置で定義されるが、左側と右側のうちの一方を一側又は第１、他方を他側又は第２として認識することもある。
【００１７】
横長に配置される上側梁３の下面には、例えば、図３に示すように、床面Ａに差し込まれた複数の支柱２の上部と後パネル５の上部の少なくとも一方が取り付けられる。また、複数の支柱２の下部と後パネル５の裏面の下部は、横長に配置される下側梁４に取り付けられる。なお、後パネル５は１枚の構造であってもよいし、複数枚を並べた構造であってもよい。
【００１８】
前パネル６は、扉パネル７とその両側に配置される左側壁パネル８、右側壁パネル９を有し、さらに、それらの両側には左支持パネル１０、右支持パネル１１、固定パネル１２、１３が順に配置されている。左支持パネル１０、左側壁パネル８、扉パネル７、右側壁パネル９、右支持パネル１１は、後述するように、互いの側端において横方向に回動可能に順に連結されている。扉パネル７は、例えば、図１（ｂ）に示したように、両開きタイプの左扉パネル７１と右扉パネル７２を有している。
【００１９】
左側壁パネル８の上端は、その前面と右隣の扉パネル７の前面がほぼ平坦な、例えばそれらの前面のなす角度が約１８０度の状態で、その右端が左端よりも低くなるように０より大きな角度θで傾斜している。また、右側壁パネル９の上端は、その前面と隣の扉パネル７の前面がほぼ平坦な、例えばそれらの前面のなす角度が約１８０℃の状態で、左端が右端より低くなるように０より大きな角度θで傾斜している。また、扉パネル７の上端は、左側壁パネル８の右端と右側壁パネル９の左端とほぼ同じ高さとなるように調整されている。
【００２０】
扉パネル７の左右両側端部、即ち左扉パネル７１の左側端部と右扉パネル７２の右側端部のそれぞれには、裏面を内側にしてＣ字状に曲げられた第１の回動部７１ａと第２の回動部７２ａを有している。第１、第２の回動部７１ａ、７２ａのそれぞれは、四角形の枠体１５の左端と右端に配置される円柱状の左縦軸バー１５ａ、右縦軸バー１５ｂに回動可能に軸支されている。これらにより扉パネル７は、中央からの両開きによる開け閉めが可能になる。枠体１５の下端には床面Ａに接触する突起（不図示）を設けてもよく、突起の下端の面積は可能な限り小さくして床面Ａとの摩擦を小さくすることが好ましい。なお、扉パネル７は、左扉パネル７１か右扉パネル７２の一方だけを用いた片開き構造であってもよい。
【００２１】
枠体１５の左縦軸バー１５ａと右縦軸バー１５ｂの間の内側に左補強バー１５ｅと右補強バー１５ｆが枠体１５の上支持バー１５ｃと下支持バー１５ｄに渡されて取り付けられている。なお、左補強バー１５ｅと右補強バー１５ｆは、その間に荷物を通し得る広さに離されるが、左縦軸バー１５ａと右縦軸バー１５ｂだけで強度が十分な場合には省かれてもよい。
【００２２】
左側壁パネル８の左端と右端には、それぞれ上から見て後面を内側にしてＣ字状に曲げられた第３の回動部８ａと第４の回動部８ｂが設けられている。また、右側壁パネル９の左端と右端には、それぞれ上から見て後面を内側にしてＣ字状に曲げられた第５の回動部９ａと第６の回動部９ｂが設けられている。左側壁パネル８の第４の回動部８ｂは、枠体１５の左縦軸バー１５ａに回動可能に軸支される。同様に、右側壁パネル９の第５の回動部９ａは枠体１５の右縦軸バー１５ｂに回動可能に軸支されている。
【００２３】
左側壁パネル８の第４の回動部８ａと左扉パネル７１の第１の回動部７１ａには、縦（高さ）方向で互いに噛み合うように凹凸が複数箇所に形成され、これにより左側壁パネル８と左扉パネル７１は左縦軸バー１５ａを軸にして互いのなす角度が変えられるヒンジ構造となっている。また、右扉パネル７２の第２の回動部７２ａと右側壁パネル９の第５の回動部９ａには、縦方向で互いに噛み合うように凹凸が複数箇所に形成され、これにより右扉パネル７２と右側壁パネル９は右縦軸バー１５ｂを軸にして互いのなす角度を変えられるヒンジ構造となっている。
【００２４】
左支持パネル１０の右端には、上から見て後面を内側にしてＣ字状に曲げられた第７の回動部１０ａが設けられている。左支持パネル１０の第７の回動部１０ａと左側壁パネル８の第３の回動部８ａのそれぞれには縦方向で互いにかみ合う凹凸が形成され、それぞれがかみ合った状態で第１縦軸ピン１６が回動可能に差し込まれ、軸支されている。これにより、左支持パネル１０と左側壁パネル８の接続部は、第１縦軸ピン１６を軸にしたヒンジ構造となる。
【００２５】
また、右支持パネル１１の左端には、上から見て後面を内側にしてＣ字状に曲げられた第８の回動部１１ａが設けられている。右支持パネル１１の第８の回動部１１ａと右側壁パネル９の第６の回動部９ｂのそれぞれには縦方向で互いにかみ合う凹凸が形成され、それぞれがかみ合った状態で第２縦軸ピン１７が回動可能に差し込まれ、軸支されている。これにより、右支持パネル１１と右側壁パネル９の接続部は、第２縦軸ピン１７を軸にしたヒンジ構造となる。
【００２６】
左支持パネル１０と右支持パネル１１の下端部は、上記のように枠体１５等を介して互いに連結された状態で、左側壁パネル８、扉パネル７、右側壁パネル９、枠体１５より下側に突出している。また、左支持パネル１０の配置位置から右支持パネル１１の配置位置までそれらの移動範囲の床面Ａには、凹状のレール１４が埋め込まれ、その中には左支持パネル１０と右支持パネル１１の下端部が摺動可能に嵌め込まれている。また、左側壁パネル８、扉パネル７、右側壁パネル９、枠体１５の下端は、レール１４との間に隙間が生じるように取り付けられる。
【００２７】
なお、第１縦軸ピン１６、第２縦軸ピン１７は、左側壁パネル８、扉パネル７、右側壁パネル９、枠体１５より下側に突出され、凹状のレール１４に嵌め込まれる構造にしてもよい。
【００２８】
第１縦軸ピン１６は、左支持パネル１０の右端より上に突出する突出部１６ａを有し、また、第２縦軸ピン１７は、右支持パネル１１の左端より上に突出する突出部１７ａを有している。
【００２９】
後パネル５の上に取り付けられる上側梁３は、前パネル６の全体が後パネル５に最も近くてほぼ平面に置かれる状態において、少なくとも左支持パネル１０の左端の上から右支持パネル１１の左端の上に至る領域で、内部が空洞となるように形成されている。
【００３０】
上側梁３内では、前パネル６がほぼ平面状に置かれる状態において、扉パネル７の上端の上方には、その上端に対して間隔をおいてほぼ平行に円柱状、円筒状の横軸バー１８が取り付けられている。横軸バー１８の長さは、扉パネル７の幅とほぼ同じになっている。この状態で、さらに、横軸バー１８の両側方の領域の上側梁３の底面には、第１縦軸ピン１６の突出部１６ａをその右側方の横軸バー１８に向けて移動可能な左側スリット３ａが形成され、さらに、第２縦軸ピン１７の突出部１７ａをその左側方の横軸バー１８に向けて移動可能な右側スリット３ｂが形成されている。左側スリット３ａと右側スリット３ｂとレール１４の少なくとも１つは、第１縦軸ピン１６と第２縦軸ピン１７の移動の軌道を制御する軌道制御部である。
【００３１】
上側梁３内において、左側スリット３ａと横軸バー１８の境界には第１縦軸ピン１６の突出部１６ａの右への移動を規制する左ストッパ１９が配置され、さらに、右側スリット３ｂと横軸バー１８の境界には第２縦軸ピン１７の突出部１７ａの左への移動を規制する右ストッパ２０が配置されている。これにより、左側スリット３ａと右側スリット３ｂを移動して互いに近づく第１縦軸ピン１６と第２縦軸ピン１７は、左ストッパ１９と右ストッパ２０により移動が規制され、その位置から互いの間隔が狭くならない構造となっている。
【００３２】
ホームポジションにある扉パネル７と枠体１５の上には、図２（ｂ）に示すように、横軸バー１８に嵌め込まれるＣ字状の回動部２１ａを後端（上端）に有する屋根用パネル２１が横軸バー１８を中心軸として縦方向と前後方向に回動可能に取り付けられている。
【００３３】
屋根用パネル２１は、第１縦軸ピン１６と第２縦軸ピン１７の間が最も広がって配置されるホームポジションで横軸バー１８に垂れ下がり、扉パネル７の上部前面に面接触して配置され、根本の回動部２１ａの近傍で屈曲されている。なお、扉パネル７の上部前面は、下部前面に対して階段状に裏方に後退した形状を有し、これにより、扉パネル７の前面に重ねられる屋根用パネル２１の扉パネル７からの突出が抑制される。
【００３４】
上側梁３内の横軸バー１８の上の位置において、左側スリット３ａに挿入された第１縦軸ピン１６の突出部１６ａと右側スリット３ｂに挿入された第２縦軸ピン１７の突出部１７ａには、それらの間で伸び縮みする長いバネ２３が掛けられている。バネ２３は、本実施形態では例えば収縮バネを採用する。
【００３５】
バネ２３は、第１縦軸ピン１６の突出部１６ａと左ストッパ１９の間、及び第２縦軸ピン１７の突出部１７ａと右ストッパ２０の間のそれぞれに分けて取り付けられてもよい。この場合、２分されるバネ２３の最短の長さだけ第１縦軸ピン１６と左ストッパ１９、および第２縦軸ピン２０と右ストッパ２０のそれぞれに間隔が生じるので、その間隔分だけ扉パネル７の幅を左ストッパ１９と右ストッパ２０の間隔より広くすることが好ましい。
【００３６】
第１縦軸ピン１６と第２縦軸ピン１７の少なくとも一方には、操作レバー２４が上下方向に回動可能に軸支されている。操作レバー２４は、上側梁３の前面において左側スリット３ａと右側スリット３ｂの少なくとも一方に沿って形成された前面スリット３ｃから突出している。また、図２（ｃ）に示すように、ホームポジションに配置された右支持パネル１１の右端の上方に位置する前面スリット３ｃの端部から上方又は下方に向けてＬ字状にストッパ用スリット３ｄが形成され、その中に押し込まれる操作レバー２４の横方向の移動を規制し、バネ２３の弾性力による第１縦軸ピン１６、第２縦軸ピン１７の移動を防止している。
【００３７】
第１側壁パネル８と第２側壁パネル９では、それらの上端が床面Ａに対して傾斜し、枠体１５に近づくほどそれらの上端が床面Ａから低くなる形状を有している。これにより、枠体１５は、第１側壁パネル８の左側端の高さと第２側壁パネル９の右側端の高さより低く形成される。枠体１５を後パネル５に最も近づけてその両側の第１、第２側壁パネル８、９がほぼ面一になるように置いた状態では、枠体１５及び扉パネル７の上方には、図１（ａ）、図２（ａ）、（ｂ）に示したように、横軸バー１８が配置される。
【００３８】
また、図２（ｂ）に示すように、横軸バー１８と扉パネル７の間の隙間から露出する領域の後パネル５の前面には、屋根用パネル２１の上部を前方に押圧する押しバネ２２が取り付けられている。押しバネ２２の付勢力は、屋根用パネル２１を扉パネル７から飛び出させず、屋根用パネル２１から扉パネル７に加わる力を低減する程度の大きさとし、屋根用パネル２１を持ち上げる際の初期力を低減する程度とする。なお、押しバネ２２は、図２（ｂ）に示すようなコイルに限られるものではなく、板バネ、その他の弾性体であればよい。
【００３９】
扉パネル７のうち、左扉パネル７１の右端と右扉パネル７２の左端と屋根用パネル２１の下端の互いの交差部分の近傍には錠２５が取り付けられている。錠２５は、例えば、図４に例示するように、その交差部分の近傍の右扉パネル７２に取り付けられ、回転構造を有している。錠２５は、例えば、反時計回り方向にのみ回動するラッチ式の回動軸２５ａとその前部に固定された留め具２５ｂを有している。
【００４０】
回動軸２５ａは、その回動停止位置によって作用が相違する。例えば、図４（ａ）に示すように、留め具２５ｂが屋根用パネル２１と左扉パネル７１に掛かった状態で扉パネル７の開閉を阻止するとともに屋根用パネル２１が前方に起こされることを阻止する。また、図４（ｂ）に示すように、回動軸２５ａの回動停止位置を変えて留め具２５ｂを屋根用パネル２１と左扉パネル７から外せば、屋根用パネル２１を上に開き、さらに扉パネル７を開くことが可能になる。また、図４（ｃ）に示すように、屋根用パネル２１を持ち上げた状態で留め具２５ｂを左扉パネル７１に掛ければ、扉パネル７を開くことが防止される。
【００４１】
屋根用パネル２１の前端が持ち上げられた状態でその下面となる裏面には、枠体１５の上端で上に突出する突起１５ｇを挿入して摺動させながら案内する案内溝２７が形成されている。案内溝２７は、図１に示したように、横軸バー１８の長さ方向に対してほぼ垂直な方向に直線状に長く伸びて形成される。案内溝２７は、屋根用パネル２１の裏面に張られる複数本の補強梁２８の間に形成されるスリットを利用して形成される。接近した２本の補強梁２８の間に形成される案内溝２７の前端又は後端の少なくとも一方をＵ字状に閉じることにより、突起１５ｇの移動を規制するようにしてもよい。また、扉パネル７の前面に、補強梁２８を嵌める凹部７ａを形成してもよい。なお、案内溝２７を屋根用パネル２１の裏面に直に形成してもよい。
【００４２】
左支持パネル１０とその左の固定パネル１２には、図３に示すような移動棹２９を介して連結させてもよい。移動棹２９は、下端を固定パネル１２に回動可能に軸支し、上端を左支持パネル１０に上下に移動可能に嵌め込む構造となっている。これにより、左支持パネル１０と固定パネル１２の間が開いた場合に、左支持パネル１０の移動を規制し、或いは裏パネル５を補強することができる。
【００４３】
フェンス１を例えば駐車場に配置し、駐車位置毎に扉パネル７を設ける構造では、駐車範囲を区画する境界の位置に縦長のストライプ状のライン９０を扉パネル７の両側方の固定パネル１２、１３に設けてもよい。ライン９０を用いることにより１台の自動車の駐車位置を特定することができるので、床面Ａに引かれる駐車区画用の白線等のラインを省略することができる。なお、ライン９０は、固定パネル１２，１３の前面と同一面に色を異ならせてペンキ等で設けてもよいし、或いは、その前面から三次元的に前方に飛び出させてもよい。例えばライン９０を四角柱状に形成し、その両側面の色と前面の色を変えれば、自動車がフェンス１に近づくにつれて立体的なライン９０の側面が運転者の視覚に徐々に広がって入るようになるので、駐車の位置が確認し易くなる。後パネル５と前パネル６の固定パネル１２、１３が重なる部分は省略してもよく、固定パネル１２、１３を省略する場合には後パネル５の前面にライン９０を設ける。
【００４４】
上記した構造のフェンス１について仕切りとしての機能だけを発揮させる場合、扉パネル７を裏パネル５に向けて押さえ込んで近接させると、バネ２３が広がり、バネ２３両端に掛けられた第１、第２縦軸ピン１６，１７の突出部１６ａ、１７ａの間隔も広がる。これにより、第２縦軸ピン１７の突出部１７ａに上下に回動可能に取り付けられた操作レバー２４は、上側梁３の前面スリット３ｃを通して移動し、バネ２３のねじれ力により付勢されてストッパ用スリット３ｄに入り込む。
【００４５】
この後に、扉パネル７を裏パネル５に押す力を取り去っても、バネ２３の縮む方向への変位は操作レバー２４により規制され、しかも、左支持パネル１０から右支持パネル１１まではほぼ平面になるので、バネ２３は平面方向に広がった状態を維持し、第１縦軸ピン１６と第２縦軸ピン１７により伸ばされた状態を維持する。また、屋根用パネル２１は、図４（ａ）に示すように、錠２５により扉パネル７の前面に固定されることにより持ち上がる動作が規制され、これにより、屋根用パネル２１は扉パネル７の突出を防止することにより間接的にバネ２３の収縮を防止する。
【００４６】
このような状態のフェンス１の前パネル６は、ほぼ平板状になって前後の空間を仕切ることになる。
【００４７】
これに対し、扉パネル７に取り付けた錠２５を回し、屋根用パネル２１を外した後に、操作レバー２４を持ち上げてストッパ用スリット３ｄから外すと、バネ２３の収縮の規制が解けて、バネ２３は収縮しようとする。これにより、操作レバー２４は、前面スリット３ｃに沿って扉パネル７に向けて移動し、バネ２３が掛けられた第１、第２縦軸ピン１６、１７は互いに近づく方向に力が加わる。また、第１、第２縦軸ピン１６、１７に取り付けられた左支持パネル１０、左側壁パネル８、右側壁パネル９、及び右支持パネル１１にはバネ２３の収縮力が加わる。この場合、左支持パネル１０と右支持パネル１１は、底部が嵌め込まれたレール１４上を摺動する。また、扉パネル７を手前に少し引けば、床面Ａに対して間隔のある左側壁パネル８と右側壁パネル９が斜めに横を向くので左側壁パネル８、右側壁パネル９は第１、第２縦軸ピン１６、１７を介するバネ２３の力によりさらに移動し、最終的には互いにほぼ平行になるとともに、これらに連結された枠体１５を前に押し出す。
【００４８】
これにより、バネ２３が掛けられ突出部１６ａ、１７ａを有する第１、第２縦軸ピン１６、１７は、互いに近づくように移動するが、その移動は、最終的に左ストッパ１９と右ストッパ２０により規制される。左ストッパ１９と右ストッパ２０は、扉パネル７の左右の第１、第２回動部７１ａ、７２ａのほぼ真後ろの上に配置されているので、扉パネル７は左右にほとんどずれないで前方に移動する。
【００４９】
扉パネル７が前方に移動すると、扉パネル７が取り付けられた枠体１５の上端の突起１５ｇは、屋根用パネル２１の下面（裏面）の案内溝２７に沿って前方に移動するとともに、屋根用パネル２１を持ち上げて、水平からθの角度の前方への傾斜をもって扉パネル７と左側壁パネル８、右側壁パネル９により囲まれる領域を覆う状態となる。屋根用パネル２１は、図２（ｂ）に示したように、押しバネ２２により前方への押圧力が加わっているので、枠体１５の移動による初期移動が容易になり、その後に加速が付いて枠体１５の移動が円滑になる。
【００５０】
これにより、フェンス１の一部、即ち、扉パネル７、左側壁パネル８、右側壁パネル９、後パネル５及び屋根用パネル２１は内部に収納スペースを有する収納庫１００に変形する。なお、左支持パネル１０、右支持パネル１１の移動により固定パネル１２、１３との間に隙間が発生するが、その隙間は裏パネル５により遮られるので、フェンス１としての機能は保持される。
【００５１】
収納庫１００が不要になった場合には扉パネル７を裏パネル５に向けて押すことにより、第１縦軸ピン１６及び第２縦軸ピン１７等を介してバネ２３を広げ、左側壁パネル８、右側壁パネル９等を上記と逆の動作により裏パネル５の前に収め、さらに、操作レバー２４を上側梁３のストッパ用スリット３ｄに掛ける。さらに、枠体１５の後退により垂れ下がる屋根用パネル２１は、扉パネル７の前面に重なった後に、錠２５の操作により屋根用パネル２１の前方の移動を規制することにより、フェンス１の変形による収納スペースが消失するとともに、収納スペースを囲んでいた扉パネル７等はそのまま仕切りとして機能するので、別の場所に移動させる必要はなく、収納庫１００を構成する部材の収納スペースが不要になる。
【００５２】
以上述べたように本実施形態によれば、扉パネル７、左側壁パネル８及び右側壁パネル９を順に回動自在に連結し、さらに扉パネル７の一部となる枠体１５の上部に突起１５ｇを設け、突起１５ｇの移動により屋根用パネル２１を持ち上げるようにした。しかも、扉パネル７、左側壁パネル８、右側壁パネル９及び屋根用パネル２１の収納庫１００への変形にバネ２３の付勢力を利用したので、フェンス１の一部をワンタッチで収納庫１００に変形させることができる。また、フェンス１の一部が収納庫１００に変形している状態から、バネ２３の力に抗して扉パネル７を裏パネル５に向けて押圧することによりワンタッチで収納庫１００を解体することができる。
【００５３】
さらに、屋根用パネル２１の上端の回動部２１ａと扉パネル７及び枠体１５の上端の距離を離すとともに、左側壁パネル８と右側壁パネル９の上端を互いの接合部分に向けて低くなるように傾斜させている。このため、枠体１５又は扉パネル７の上端で屋根用パネル２１の下面を徐々に傾斜させながら引き起こすことができるので、屋根用パネル２１を持ち上げる初期の力を小さくし、持ち上げを円滑にすることができる。さらに、収納庫１００の組み立て終了時の状態で、左側壁パネル８と右側壁パネル９が前方に傾斜するので、屋根の水捌けを良好にすることができる。
【００５４】
（第２の実施の形態）
図５（ａ）は、第２実施形態に掛かるフェンスを示す斜視図、図５（ｂ）は、図５（ａ）に示したフェンスの変形状態を示す斜視図である。図５において、図１〜図４と同じ符号は同じ要素を示している。
【００５５】
図５において、第１実施形態と同様に、左側壁パネル８の側端と左支持パネル１０の側端は第１縦軸ピン１６を介して連結され、右側壁パネル９の側端と右支持パネル１１の側端は第２縦軸ピン１７を介して連結されている。また、左側壁パネル８と右側壁パネル９は、枠体１５を介して扉パネル７に連結され、互いの側部を中心に回動可能になっている。さらに、垂直状態から水平状態に回動可能な屋根用パネル２１が扉パネル７の上方に配置されている。
【００５６】
上側梁３の内部において、第１縦軸ピン１６と第２縦軸ピン１７には、第１実施形態と異なり、互いに平行に対向し合うように片持ち梁状に支持される第１バネ支持バー３１と第２バネ支持バー３２のそれぞれの１つの端部が取り付けられている。第１バネ支持バー３１と第２バネ支持バー３２は、平行でかつ間隔をおいて取り付けられ、それらの先端は互いを向くようにＬ字状に屈曲するバネ支持端部３１ａ、３２ａを有している。
【００５７】
第１バネ支持バー３１と第２バネ支持バー３２の間にはバネ３３が配置され、バネ３３の両端は２つのバネ支持端部３１ａ、３２ａに取り付けられ、横方向に挟まれる。バネ３３は、本実施形態では、例えば拡張方向の付勢力を有するバネを採用する。
【００５８】
第１実施形態における圧縮方向に付勢力のあるバネ２３の代わりに第１バネ支持バー３１と第２バネ支持バー３２とバネ３３を設ける以外の構造は、第１実施形態と同様である。例えば、第２縦軸ピン１７の突出部１７ａには、縦方向に回動可能な操作レバー２４が取り付けられ、また操作レバー２４を上側梁３の３ｄにストッパ用スリット３ｄに入れて掛け留め、さらに操作レバー２４を前スリット３ｃから外部に突出させて摺動させることなどは第１実施形態と同様である。
【００５９】
上記した構造のフェンス１について仕切りとしての基本機能だけを発揮させる場合には、図５（ａ）に示すように、扉パネル７とその両側の左側壁パネル８、右側壁パネル９等を裏パネル５に向けて押すことにより、第１、第２縦軸ピン１６、１７の突出部１６ａ、１７ａの間隔を広げる。これにより、第１、第２バネ支持バー３１、３２を介してバネ３３を収縮させると、第２縦軸ピン１７の突出部１７ａに取り付けられた操作レバー２４は、上側梁３の前面スリット３ｃを通して移動し、ストッパ用スリット３ｄに達するので、操作レバー２４を下に降ろしてその中に入れて掛ける。
【００６０】
この後に、扉パネル７を裏パネル５に向けて押す力を取り去っても、バネ３３の拡張する方向への変位は操作レバー２４の停止により規制される。しかも、左支持パネル１０から右支持パネル１１まではほぼ平面になっている。従って、バネ３３は第１縦軸ピン１６と第２縦軸ピン１７により圧縮された状態を維持する。しかも、屋根用パネル２１は、図４（ａ）に示したと同様に、錠２５により扉パネル７の前面に固定されるので、起き上がりが防止される。これにより、屋根用パネル２１は、扉パネル７を介してバネ３３の拡張を間接的に防止している。
【００６１】
このような状態のフェンス１は、ほぼ平板状になって前後の空間を仕切ることになる。
【００６２】
これに対し、図４（ｂ）、（ｃ）に示したように、扉パネル７に取り付けた錠２５を回し、屋根用パネル２１を外した後に、操作レバー２４を持ち上げてストッパ用スリット３ｄから外すと、バネ３３の規制が解けて、バネ２３は第１、第２バネ支持バー３１、３２のバネ支持端部３１ａ、３２ａの間でその付勢力により拡張する。これにより、操作レバー２４は、前面スリット３ｃに沿って扉パネル７に向けて移動し、バネ３３が掛けられたバネ支持端部３１ａ、３２ａは互いに遠ざかる方向に力が加わる。
【００６３】
この結果、第１、第２縦軸ピン１６、１７に軸支された左支持パネル１０、左側壁パネル８、右側壁パネル９、及び右支持パネル１１は、バネ３３の付勢力の伸びる方向とは逆方向に収縮する力が加えられる。この場合、左支持パネル１０と右支持パネル１１は、それらの底部が嵌め込まれたレール１４上を摺動する。同様に、第１、第２縦軸ピン１６、１７もレール１４に沿って移動する。また、扉パネル７を手前に少し引けば、床面Ａに対して隙間を持つ左側壁パネル８と右側壁パネル９が横方向の斜めに傾くので、左側壁パネル８と右側壁パネル９はバネ３３の付勢力によりさらに移動し、最終的には互いにほぼ平行になるとともに、これらに連結された枠体１５を前に押し出す。
【００６４】
この場合、第１バネ支持バー３１と第２バネ支持バー３２を介してバネ３３に接続された第１、第２縦軸ピン１６、１７の突出部１６ａ、１７ａは、バネ３３の伸びる方向とは逆方向、即ち互いに近づくように移動するが、その移動は、左ストッパ１９と右ストッパ２０により規制される。左ストッパ１９と右ストッパ２０は、扉パネル７の左右の第１、第２回動部７１ａ、７２ａのほぼ真後ろの上に配置されているので、扉パネル７は左右にほとんどずれないで最終的に前方に押し出される。
【００６５】
扉パネル７が前方に移動すると、第１実施形態と同様に、扉パネル７が取り付けられた枠体１５の上端の突起１５ｇは、屋根用パネル２１を持ち上げる。この結果、屋根用パネル２１は、図５（ｂ）に示すように、水平に対して角度θの傾斜をもって、扉パネル７と左側壁パネル８、右側壁パネル９により囲まれる領域を上から覆う状態となる。
【００６６】
これにより、フェンス１の一部、即ち、扉パネル７、左側壁パネル８、右側壁パネル９、後パネル５及び屋根用パネル２１は、収納スペースを有する収納庫１００に変形する。その他は、第１実施形態と同様となる。
【００６７】
以上述べたように本実施形態によれば、扉パネル７、左側壁パネル８及び右側壁パネル９を順に回動自在に連結し、さらに扉パネル７の一部である枠体１５の上部に突起１５ｇを設け、突起１５ｇにより屋根用パネル２１を持ち上げ可能にした。しかも、扉パネル７、左側壁パネル８、右側壁パネル９及び屋根用パネル２１の収納庫１００への変形に、それらの移動とは逆方向に付勢力を持つバネ３３を使用したので、ワンタッチで収納庫１００に変形させることができる。また、フェンス１の一部が収納庫１００に変形している状態から、バネ３３の力に抗して扉パネル７を裏パネル５に向けて押圧することによりワンタッチで収納庫１００を解体することができる。その他、第１実施形態と同様な作用効果を有する。
【００６８】
（第３の実施の形態）
図６（ａ）は、第３実施形態に掛かるフェンスを示す斜視図、図６（ｂ）は、図６（ａ）に示したフェンスの変形状態を示す斜視図である。図６において、図１〜図４と同じ符号は同じ要素を示している。
【００６９】
図６において、第１実施形態と同様に、左側壁パネル８の側端と左支持パネル１０の側端は第１縦軸ピン１６を介して連結され、右側壁パネル９の側端と右支持パネル１１の側端は第２縦軸ピン１７を介して連結されている。また、左側壁パネル８と右側壁パネル９は、枠体１５を介して扉パネル７に連結され、互いの側部を中心に回動可能になっている。さらに、垂直状態から水平状態に回動可能な屋根用パネル２１が扉パネル７の上方に配置されている。
【００７０】
上側梁３の内部において、第１縦軸ピン１６と第２縦軸ピン１７には、第１実施形態と異なり、互いに平行に対向し合うように片持ち梁状に支持される第１ラックバー３６と第２ラックバー３７が取り付けられている。第１ラックバー３６と第２ラックバー３７は、互いに平行でかつ間隔をおいて取り付けられ、それらの対向部分には後述するピニオン３８に噛み合う歯車が形成されている。
【００７１】
第１ラックバー３６と第２ラックバー３７のそれぞれの間にはピニオン３８が互いの歯と噛み合うように挟まれている。ピニオン３８の回動中心軸は、例えば、後パネル５に垂直に回動可能に取り付けられる。また、ピニオン３８の直径を大きくするほどピニオン３８を介した第１ラックバー３６と第２ラックバー３７の逆方向の移動がし易くなる。ピニオン３８は間隔をおいて複数個配置してもよい。
【００７２】
第１実施形態におけるバネ２３の代わりに第１ラックバー３６と第２ラックバー３７とピニオン３８を設ける以外の構造は、第１実施形態と同様である。例えば、第２縦軸ピン１７の突出部１７ａには、縦方向に回動可能な操作レバー２４が取り付けられ、また操作レバー２４を上側梁３の３ｄにストッパ用スリット３ｄに入れて掛け留め、さらに操作レバー２４を前スリット３ｃから外部に突出させて摺動させることなどは第１実施形態と同様である。
【００７３】
上記した構造のフェンス１について仕切りとしての基本機能だけを発揮させる場合には、図６（ａ）に示すように、扉パネル７とその両側の左側壁パネル８、右側壁パネル９等を裏パネル５に向けて押すことにより、第１、第２縦軸ピン１６、１７の突出部１６ａ、１７ａの間隔を広げる。この場合、操作レバー２４により第２ラックバー３７に力を加えることにより、ピニオン３８が回転し易くなる。
【００７４】
さらに、第２縦軸ピン１７の突出部１７ａに取り付けられた操作レバー２４に力を加え、側梁３の前面スリット３ｃを通して移動させ、ストッパ用スリット３ｄに達した状態で、操作レバー２４を下に降ろしてその中に入れて掛ける。これにより、第１、第２ラックバー３６、３７は、それらの全体の長さが広がるように横方向に移動し、操作レバー２４の停止に伴って停止する。この場合、ピニオン３８が第１、第２ラックバー３６、３７の間に介在しているので、第１、第２ラックバー３６、３７は、同じ長さで逆向きに横方向に移動する。
【００７５】
この後に、扉パネル７を裏パネル５に向けて押す力を取り去っても、第１、第２ラックバー３６、３７には外力が加わっていない上に操作レバー２４の移動も規制している。このため、左支持パネル１０から右支持パネル１１のまでの前面はほぼ平面状の状態を維持する。しかも、図４（ａ）に示したと同様に、錠２５により扉パネル７の前面に固定されている屋根用パネル２１は、第１、第２ラックバー３６、３７の移動を間接的に防止している。
【００７６】
このような状態のフェンス１は、ほぼ平板状になって前後の空間を仕切ることになる。
【００７７】
これに対し、図４（ｂ）、（ｃ）に示したように、扉パネル７に取り付けた錠２５を回し、屋根用パネル２１を外した後に、操作レバー２４を持ち上げてストッパ用スリット３ｄから外し、前面スリット３ｃに沿って扉パネル７のある方向に移動させる。これにより、第１、第２ラックバー３６、３７は、ピニオン３８を介して全体が縮まるように横方向に同時に移動する。
【００７８】
この結果、第１、第２ラックバー３６、３７のそれぞれの１つの端部を支持している第１、第２縦軸ピン１６、１７に軸支された左支持パネル１０、左側壁パネル８、右側壁パネル９、及び右支持パネル１１は、第１、第２ラックバー３６、３７の縮む方向と同じ方向に収縮する力が加えられる。この場合、左支持パネル１０と右支持パネル１１は、底部が嵌め込まれたレール１４上を摺動する。同様に、第１、第２縦軸ピン１６、１７もレール１４に沿って移動する。また、扉パネル７を手前に引けば、床面Ａに対して隙間を持つ左側壁パネル８と右側壁パネル９が斜めに横を向くので、操作レバー２４は移動し易くなるとともに、これらに連結された枠体１５が前に進む。
【００７９】
第１、第２縦軸ピン１６、１７の移動は、左ストッパ１９と右ストッパ２０により規制される。左ストッパ１９と右ストッパ２０は、扉パネル７の左右の第１、第２回動部７１ａ、７２ａのほぼ真後ろの上に配置されているので、扉パネル７は左右にほとんどずれないように前方に押し出される。
【００８０】
扉パネル７が前方に移動すると、第１実施形態と同様に、扉パネル７が取り付けられた枠体１５の上端の突起１５ｇは、屋根用パネル２１を持ち上げる。この結果、図６（ｂ）に示すように、水平に対して角度θの傾斜をもって、扉パネル７と左側壁パネル８、右側壁パネル９により囲まれる領域を上から覆う状態となる。
【００８１】
これにより、フェンス１の一部、即ち、扉パネル７、左側壁パネル８、右側壁パネル９、後パネル５及び屋根用パネル２１は、収納スペースを有する収納庫１００に変形する。その他は、第１実施形態と同様となる。
【００８２】
以上述べたように本実施形態によれば、扉パネル７、左側壁パネル８及び右側壁パネル９を順に回動自在に連結し、さらに扉パネル７の一部である枠体１５の上部に突起を設け、突起により屋根用パネル２１を持ち上げるようにした。しかも、扉パネル７、左側壁パネル８、右側壁パネル９及び屋根用パネル２１の収納庫１００への変形に、左方向と右方向に同じ長さで移動するラック＆ピニオンを使用したので、押したり引いたりする単純な操作によりフェンス１の一部を収納庫１００に変形させることができる。また、逆の操作により、フェンス１の一部が収納庫１００に変形している状態から、容易に収納庫１００を解体することができる。その他、第１実施形態と同様な作用効果を有する。
【００８３】
（第４の実施の形態）
図７（ａ）は、第２実施形態に掛かるフェンスを示す斜視図、図７（ｂ）は、図７（ａ）に示したフェンスの変形状態を示す斜視図である。図７において、図１〜図４と同じ符号は同じ要素を示している。
【００８４】
図７（ａ）、（ｂ）において、フェンス１は、左側壁パネル８と右側壁パネル９のそれぞれを横方向に同じ個数、例えば２つに分割し、分割された分割パネル８１、８２、９１、９２のうち隣接した側端をピン５１、５２により互いに回動可能に連結した構造を有している。さらに、屋根用パネル２１は、左側壁パネル８と右側壁パネル９と同じ個数であって同じ長さの割合に前後に分割され、分割された屋根用分割パネル２１ｂ、２１ｃは摺動可能に重なって取り付けられ、いずれかの側部に付けられたＵ字状の爪２１ｄにより脱落を防止するように連結されている。
【００８５】
また、第１実施形態と同様に、左側壁パネル８の側端と左支持パネル１０の側端は第１縦軸ピン１６を介して連結され、右側壁パネル９の側端と右支持パネル１１の側端は第２縦軸ピン１７を介して連結されている。さらに、左側壁パネル８と右側壁パネル９は、枠体１５を介して扉パネル７に連結され、互いの側部を中心に回動可能になっている。さらに、垂直状態から水平状態へ前方上下に回動可能な屋根用パネル２１が扉パネル７の上方に配置されている。
【００８６】
上側梁３の内部において、第１縦軸ピン１６と第２縦軸ピン１７には、第１実施形態と同様に、収縮する方向に付勢力を有するバネ２３が掛けられている。また、第２縦軸ピン１７の突出部１７ａには、縦方向に回動可能な操作レバー２４が取り付けられ、また操作レバー２４を上側梁３の３ｄにストッパ用スリット３ｄに入れて掛け留め、さらに操作レバー２４を前スリット３ｃから外部に突出させて摺動させることなどは第１実施形態と同様である。なお、それらの構造を第２、第３実施形態と同じようにしてもよい。
【００８７】
さらに、本実施形態では、後パネル５の前面には、図７（ｂ）に示すように、前方に進退が可能な分割用ストッパ４１，４２が取り付けられている。分割用ストッパ４１、４２は、第１実施形態と同様にフェンス１の上部に設けられる左ストッパ１９と右ストッパ２０の位置よりも分割パネル８１、８２、９１、９２の各々の幅で分割の数だけ左右に順に広くなる位置に取り付けられる。
【００８８】
さらに、平板状態にされた分割パネル８１、８２、９１、９２の前方の床面Ａの前方には、分割用ストッパ４１、４２よりもさらに左右にずれた位置に、図７（ａ）に示すように、ストッパ嵌め込み孔４３、４４が設けられている。ストッパ嵌め込み孔４４、４５の中には、図７（ｂ）に示すように、移動規制具４５、４６が着脱可能に嵌め込まれる。
【００８９】
このような構造を有するフェンス１の一部を収納庫１００に変形させる場合に、扉パネル７に近い側の分割パネル８１、９１だけを選択して横にすることができ、収納庫１００の奥行きが階段状に段階的に変形できる。この場合、扉パネル７に遠い側の分割パネル８２、９２の前方のストッパ嵌め込み孔４３、４４に移動規制具４５、４６を嵌め込むと、それらの分割パネル８２、９２の突出は防止される。
【００９０】
また、裏パネル５から分割用ストッパ４１、４２を前方に突出させると、扉パネル７に近い側の分割パネル８１、９１が横を向いた状態で、分割用ストッパ４１，４２の内側へのさらなる移動が防止され、これにより、バネ２３のさらなる変形も防止され、収納庫１００の形状が固定される。屋根用パネル２１は、複数の屋根用分割パネル２１ｂ、２１ｃを摺動可能に重ねているので、左側壁パネル８と右側壁パネル９の奥行き方向の突出量に合わせて奥行きを変えることができ、収納庫１００の周囲のスペースを無駄にすることが防止される
【００９１】
本実施形態によれば、第１実施形態と同様に、操作レバー２４の操作により、ワンタッチでフェンス１の一部である扉パネル７を前方に突出させ、左側壁パネル９と右側壁パネル１０を横に向けることができる。また、左側壁パネル９と右側壁パネル１０を複数の分割パネル８１、８２、９１、９２から回動して連結させて形成したので、左側壁パネル９と右側壁パネル１０の裏パネル５から突出する奥行きを複数段階で変えることができる。これにより、フェンス１の周囲のスペースを調整して収納庫１００の容量を変更することができる。その他、第１実施形態と同様な作用効果を有する。
【００９２】
（その他の実施の形態）
上記した各実施形態では、両開き型の扉パネル７を使用しているが、片側の開き扉であってもよい。また、上記したバネ２３、３３、左ストッパ１９、右ストッパ２０等は扉パネル７の上方に配置したが、その位置は扉パネル７の上端より下方にあってもよく、特に位置的に制限されるものではない。また、右ストッパ１９、左ストッパ２０の位置を変えることにより側壁パネル８、９を裏パネル５の前面に対して所望の角度に傾斜させることができる。なお、上記のフェンス１は、塀などを含む概念であり、また、壁に取り付けられる構造体であってもよい。
【００９３】
ここで挙げた全ての例および条件的表現は、考案者が技術促進に貢献した考案および概念を読者が理解するのを助けるためのものであり、ここで具体的に挙げたそのような例および条件に限定することなく解釈され、また、明細書におけるそのような例の編成は本考案の優劣を示すこととは関係ない。本考案の実施形態を詳細に説明したが、本考案の精神および範囲から逸脱することなく、それに対して種々の変更、置換および変形を施すことができると理解される。
【符号の説明】
【００９４】
１  フェンス
３  上側梁
５  裏パネル
６  表パネル
７  扉パネル
７１  左扉パネル
７２  右扉パネル
８  左側壁パネル
８１、８２  分割パネル
９  右側壁パネル
９１、９２  分割パネル
１０  左支持パネル
１１  右支持パネル
１４  レール
１５  枠体
１６、１７  縦軸ピン
１８  横軸バー
１９  左ストッパ
２０  右ストッパ
２１  屋根用パネル
２１ｂ、２１ｃ  屋根用分割パネル
２３、３３  バネ
２４  操作レバー
２５  錠
２７  案内溝
２８  補強梁
３１、３２  バネ支持バー
３６、３７  ラックバー
３８  ピニオン
４１、４２  分割用ストッパ
４３、４４  移動規制具
４５、４６  ストッパ嵌め込み孔
５１、５２  ピン
９０  ライン
１００  収納庫
【図１】
0003217735.tif 000003
【図２】
0003217735.tif 000004
【図３】
0003217735.tif 000005
【図４】
0003217735.tif 000006
【図５】
0003217735.tif 000007
【図６】
0003217735.tif 000008
【図７】
0003217735.tif 000009